【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
基地局（１１０）と端末（１２０）とを有する通信システムにおいて、確認応答／否定応答の“ＡＣＫ”／“ＮＡＫ”メッセージを前記基地局（１１０）に提供する前記端末（１２０）における方法であって、前記方法は、
前記基地局（１１０）から複数のダウンリンク・サブフレームを受信する工程と、
前記基地局（１１０）からの前記受信した複数のダウンリンク・サブフレームにおいて検出されたダウンリンク割当ての数ｋ個を計数する（６０１）工程と、
前記複数のダウンリンク・サブフレームに含まれるダウンリンク割当てを検出した複数のトランスポート・ブロック各々が正しく受信されたかどうかを確証する（６０２）工程と、
前記ダウンリンク・サブフレームに含まれるダウンリンク割当てを検出した複数のトランスポート・ブロック各々が正しく受信されたとして推定された場合、前記ｋ個のダウンリンク割当てに関するエンコードされた、前記検出されたダウンリンク割当ての数ｋを含むＡＣＫメッセージを前記基地局（１１０）に提供する（６０３）工程と、
以前のダウンリンク割当ての数を表す、前記基地局（１１０）からのダウンリンク割当インデックス“ＤＡＩ”を各サブフレームにおいて取得する（６０５）工程と、
前記基地局（１１０）からシグナリングされた前記ＤＡＩと受信したダウンリンク割当ての数とを比較することにより、ダウンリンク割当てを検出した前記複数のダウンリンク・サブフレームのいずれかにおいて前記基地局（１１０）から送信されたダウンリンク割当てのいずれかが喪失したかどうかを確証し（６０６）、以前のダウンリンク割当てのいずれかが喪失したかどうかを判断する工程と、
前記基地局（１１０）から送信されたダウンリンク割当てが喪失したことが確証された場合、前記ＡＣＫメッセージを変調するのに用いられたコンステレーションポイントとは異なるコンステレーションポイントへと変調された１つのエンコードされたＮＡＫメッセージを前記基地局（１１０）に提供する（６０７）工程とを有することを特徴とする方法。
【請求項２】
前記ｋ個のダウンリンク割当てに含まれる前記複数のトランスポート・ブロックのいずれかが正しく受信されていないとして推定された場合、前記ｋ個のダウンリンク割当ての束に関してエンコードされた１つのＮＡＫメッセージを前記基地局（１１０）に提供する工程をさらに有し、
前記エンコードされたＡＣＫメッセージは、コンステレーションポイントが確認応答されたダウンリンク割当ての数であるｋに依存して選択されるように変調され、
前記エンコードされたＮＡＫメッセージは、前記ＡＣＫメッセージを変調するのに用いられた前記コンステレーションポイントとは異なるコンステレーションポイントを用いて変調されることを特徴とする請求項１に記載の方法。
【請求項３】
前記端末（１２０）は、複数のコンステレーションポイントを有する位相シフトキーイング“ＰＳＫ”変調を用い、
前記端末（１２０）は、
前記エンコードされたＮＡＫメッセージを送信するとき、前記複数のＰＳＫコンステレーションポイントの内の第１のコンステレーションポイント（ＮＡＫ）と、
異なるｋの値について前記エンコードされたＡＣＫメッセージを送信するとき、前記複数のＰＳＫコンステレーションポイントの内の異なる第２のコンステレーションポイント（ＡＣＫ１，ＡＣＫ２，ＡＣＫ３，ＡＣＫ４）とを用い、
前記異なる第２のコンステレーションポイント（ＡＣＫ１，ＡＣＫ２，ＡＣＫ３，ＡＣＫ４）全ては前記第１のコンステレーションポイント（ＮＡＫ）とは異なり、
選択されたコンステレーションポイントは受信したダウンリンク割当ての数ｋに依存することを特徴とする請求項１又は２に記載の方法。
【請求項４】
ユニフォーム位相シフトキーイング“ＰＳＫ”が、ｋ個のサブフレームに関して前記エンコードされたＡＣＫメッセージ、或は、ＮＡＫメッセージ、或は、ＤＴＸメッセージをＰＳＫコンステレーションポイントへと変調するために用いられることを特徴とする請求項１乃至３のいずれか１項に記載の方法。
【請求項５】
４相位相シフトキーイング“ＱＰＳＫ”が、ｋ個のサブフレームに関して前記エンコードされたＡＣＫメッセージ各々、或は、ＮＡＫメッセージ、或は、ＤＴＸメッセージの送信のために用いられることを特徴とする請求項４に記載の方法。
【請求項６】
前記端末は、第１のＱＰＳＫコンステレーションポイントと、第２のＱＰＳＫコンステレーションポイントと、第３のＱＰＳＫコンステレーションポイントと、第４のＱＰＳＫコンステレーションポイントとを有するＱＰＳＫを用い、
前記端末（１２０）は前記エンコードされたＮＡＫメッセージを変調するときに前記第１のＱＰＳＫコンステレーションポイントを用い、
前記端末（１２０）は、ｋ＝１或いは４であるとき、ｋ個のダウンリンク割当てに関して、前記エンコードされたＡＣＫメッセージを変調するときに前記第２のＱＰＳＫコンステレーションポイントを用い、
前記端末（１２０）は、ｋ＝２であるとき、ｋ個のダウンリンク割当てに関して、前記エンコードされたＡＣＫメッセージを変調するときに前記第３のＱＰＳＫコンステレーションポイントを用い、
前記端末（１２０）は、ｋ＝３であるとき、ｋ個のダウンリンク割当てに関して、前記エンコードされたＡＣＫメッセージを変調するときに前記第４のＱＰＳＫコンステレーションポイントを用いることを特徴とする請求項５に記載の方法。
【請求項７】
Ｘ−ＱＡＭが、ｋ個のダウンリンク割当てに関して前記エンコードされたＡＣＫメッセージ、或は、ＮＡＫメッセージ、或は、ＤＴＸメッセージをＸ−ＱＡＭコンステレーションポイントへと変調するために用いられ、
Ｘは２2、２3、２4、……、２Nのいずれかの値をとり得ることを特徴とする請求項１乃至３のいずれか１項に記載の方法。
【請求項８】
ノンユニフォームＰＳＫが、ｋ個のダウンリンク割当てに関して前記エンコードされたＡＣＫメッセージ、或は、ＮＡＫメッセージ、或は、ＤＴＸメッセージをＰＳＫコンステレーションポイントへと変調するために用いられることを特徴とする請求項１乃至３のいずれか１項に記載の方法。
【請求項９】
基地局（１１０）と端末（１２０）とを有する通信システムにおいて、前記端末（１２０）からの確認応答／否定応答の“ＡＣＫ”／“ＮＡＫ”メッセージを処理する前記基地局（１１０）における方法であって、前記方法は、
複数のトランスポート・ブロックを有するダウンリンク・サブフレームの数を前記端末（１２０）に送信する（８０１）工程と、
以前に割当てられたダウンリンク・サブフレームの数を表すダウンリンク割当インデックス“ＤＡＩ”を各サブフレームにおいて前記端末（１２０）にシグナリングする（８０４）工程と、
前記ダウンリンク・サブフレームに含まれるダウンリンク割当てを検出した前記複数のトランスポート・ブロック各々が前記端末（１２０）により正しく受信されたとして推定される場合、ｋ個のダウンリンク割当てに関して、前記端末により検出されたダウンリンク割当ての数であるｋを含む１つのエンコードされたＡＣＫメッセージを前記端末（１２０）から受信する（８０２）工程と、
前記基地局（１１０）から前記端末（１２０）へと送信されたダウンリンク割当てが前記端末（１２０）で喪失したことが確証された場合、前記ＡＣＫメッセージを変調するために用いられたコンステレーションポイントとは異なるコンステレーションポイントへと変調される１つのエンコードされたＮＡＫメッセージを、前記端末（１２０）から受信する（６０７）工程とを有し、
前記ＤＡＩは前記端末（１２０）により用いられ、前記基地局（１１０）からシグナリングされた前記ＤＡＩと受信したダウンリンク割当ての数とを比較することにより、前記基地局（１１０）から送信されたダウンリンク割当てのいずれかが喪失したかどうかを確証することを特徴とする方法。
【請求項１０】
前記ダウンリンク・サブフレームに含まれる前記複数のトランスポート・ブロックのいずれかが正しく受信されなかったとして前記端末（１２０）により推定される場合、前記ｋ個のダウンリンク割当ての束に関して１つのエンコードされたＮＡＫメッセージを前記端末（１２０）から受信する工程をさらに有し、
前記受信したエンコードされたＡＣＫメッセージは、コンステレーションポイントが確認応答されたダウンリンク割当ての数であるｋに依存して選択されるように変調され、
前記受信したエンコードされたＮＡＫメッセージは、前記ＡＣＫメッセージを変調するのに用いられた前記コンステレーションポイントとは異なるコンステレーションポイントを用いて変調されることを特徴とする請求項９に記載の方法。
【請求項１１】
複数のＰＳＫコンステレーションポイントが、前記受信したＡＣＫ／ＮＡＣＫメッセージにおけるＰＳＫ変調のために用いられ、
前記複数のＰＳＫコンステレーションポイントの内の第１のコンステレーションポイント（ＮＡＫ）は、前記エンコードされたＮＡＫメッセージのために用いられ、
前記複数のＰＳＫコンステレーションポイントの内の異なる第２のコンステレーションポイント（ＡＣＫ１，ＡＣＫ２，ＡＣＫ３，ＡＣＫ４）は、異なるｋの値について前記エンコードされたＡＣＫメッセージのために用いられ、
前記異なる第２のコンステレーションポイント（ＡＣＫ１，ＡＣＫ２，ＡＣＫ３，ＡＣＫ４）全ては前記第１のコンステレーションポイント（ＮＡＫ）とは異なり、
選択されたコンステレーションポイントは数ｋに依存することを特徴とする請求項９又は１０に記載の方法。
【請求項１２】
ユニフォーム位相シフトキーイング“ＰＳＫ”が、ｋ個のサブフレームに関して前記エンコードされたＡＣＫメッセージ、或は、ＮＡＫメッセージ、或は、ＤＴＸメッセージをＰＳＫコンステレーションポイントへと変調するために用いられることを特徴とする請求項９乃至１１のいずれか１項に記載の方法。
【請求項１３】
４相位相シフトキーイング“ＱＰＳＫ”が、前記端末（１２０）から送信された、ｋ個のダウンリンク割当てに関して前記エンコードされたＡＣＫメッセージ各々、或は、ＮＡＫメッセージ、或は、ＤＴＸメッセージのために用いられることを特徴とする請求項１２に記載の方法。
【請求項１４】
第１のＱＰＳＫコンステレーションポイントと、第２のＱＰＳＫコンステレーションポイントと、第３のＱＰＳＫコンステレーションポイントと、第４のＱＰＳＫコンステレーションポイントとを有するＱＰＳＫが用いられ、
前記第１のＱＰＳＫコンステレーションポイントは、前記エンコードされたＮＡＫメッセージの変調のために用いられ、
前記第２のＱＰＳＫコンステレーションポイントは、ｋ＝１或いは４であるとき、ｋ個のダウンリンク割当てに関して、前記エンコードされたＡＣＫメッセージの変調のために用いられ、
前記第３のＱＰＳＫコンステレーションポイントは、ｋ＝２であるとき、ｋ個のダウンリンク割当てに関して、前記エンコードされたＡＣＫメッセージの変調のために用いられ、
前記第４のＱＰＳＫコンステレーションポイントは、ｋ＝３であるとき、ｋ個のダウンリンク割当てに関して、前記エンコードされたＡＣＫメッセージの変調のために用いられることを特徴とする請求項１３に記載の方法。
【請求項１５】
Ｘ−ＱＡＭが、ｋ個のダウンリンク割当てに関して前記エンコードされたＡＣＫメッセージ、或は、ＮＡＫメッセージ、或は、ＤＴＸメッセージをＸ−ＱＡＭコンステレーションポイントへと変調するために用いられ、
Ｘは２2、２3、２4、……、２Nのいずれかの値をとり得ることを特徴とする請求項９乃至１１のいずれか１項に記載の方法。
【請求項１６】
ノンユニフォームＰＳＫが、ｋ個のダウンリンク割当てに関して前記エンコードされたＡＣＫメッセージ、或は、ＮＡＫメッセージ、或は、ＤＴＸメッセージをＰＳＫコンステレーションポイントへと変調するために用いられることを特徴とする請求項９乃至１１のいずれか１項に記載の方法。
【請求項１７】
基地局（１１０）と端末（１２０）とを有する通信システムにおいて、前記基地局（１１０）に対して確認応答／否定応答の“ＡＣＫ”／“ＮＡＫ”メッセージを提供する前記端末であって、前記端末の構成（７００）は、
前記基地局（１１０）から複数のダウンリンク・サブフレームを受信し、さらには以前に割当てられたダウンリンク割当ての数を表す、前記基地局（１１０）からのダウンリンク割当インデックス“ＤＡＩ”を各サブフレームにおいて取得するよう構成された受信ユニットと、
前記基地局（１１０）からの前記受信したダウンリンク・サブフレームにおいて検出した、ｋ個である、ダウンリンク割当ての数を計数するよう構成された計数ユニット（７１０）と、
前記ダウンリンク・サブフレームに含まれるダウンリンク割当てを検出した複数のトランスポート・ブロック各々が正しく受信されたかどうかを確証するよう構成された確証ユニット（７２０）と、
前記ダウンリンク・サブフレームに含まれるダウンリンク割当てを検出した前記複数のトランスポート・ブロック各々が正しく受信したとして推定される場合、前記ｋ個のダウンリンク割当てに関して、前記ダウンリンク割当ての数ｋを含むエンコードされたＡＣＫメッセージを前記基地局（１１０）に提供するよう構成された送信ユニット（７３０）とを有し、
前記確証ユニット（７２０）はさらに、前記基地局（１１０）からシグナリングされた前記ＤＡＩと受信したダウンリンク割当ての数とを比較することにより、ダウンリンク割当てを検出した前記複数のダウンリンク・サブフレームのいずれかにおいて前記基地局（１１０）から送信されたダウンリンク割当てのいずれかが喪失したかどうかを確証し、以前のダウンリンク・サブフレームのいずれかが喪失したかどうかを判断するよう構成され、
前記送信ユニット（７３０）はさらに、前記基地局（１１０）から送信されたダウンリンク割当てが喪失したことが確証された場合、前記ＡＣＫメッセージを変調するのに用いられたコンステレーションポイントとは異なるコンステレーションポイントへと変調された１つのエンコードされたＮＡＫメッセージを前記基地局（１１０）に提供するよう構成されることを特徴とする端末。
【請求項１８】
基地局（１１０）と端末（１２０）とを有する通信システムにおいて、前記端末（１２０）からの確認応答／否定応答の“ＡＣＫ”／“ＮＡＫ”メッセージを処理する前記基地局（１１０）であって、前記基地局の構成（９００）は、
複数のトランスポート・ブロックを含むダウンリンク・サブフレームの数を前記端末（１２０）に送信し、以前に割当てられたダウンリンクサブフレームの数を表すダウンリンク割当インデックス“ＤＡＩ”を各サブフレームにおいて前記端末（１２０）にシグナリングするように構成された送信ユニット（９１０）と、
前記ダウンリンク・サブフレームに含まれるダウンリンク割当てを検出した複数のトランスポート・ブロック各々が前記端末（１２０）により正しく受信されたとして推定される場合、前記ｋ個のダウンリンク割当てに関して、前記端末（１２０）により検出されたダウンリンク割当ての数ｋを含む、１つのエンコードされたＡＣＫメッセージを前記端末（１２０）から受信するように構成された受信ユニット（９２０）とを有し、
前記ＤＡＩは前記端末（１２０）により用いられ、前記基地局（１１０）からシグナリングされた前記ＤＡＩと受信したダウンリンク割当ての数とを比較することにより、前記基地局（１１０）から送信されたダウンリンク割当てのいずれかが喪失したかどうかを確証し、
前記受信ユニット（９２０）はさらに、前記基地局（１１０）から前記端末（１２０）へと送信されたダウンリンク割当てが前記端末（１２０）で喪失したことが確証された場合、前記ＡＣＫメッセージを変調するために用いられたコンステレーションポイントとは異なるコンステレーションポイントへと変調される１つのエンコードされたＮＡＫメッセージを、前記端末（１２０）から受信するよう構成されていることを特徴とする基地局。